(57)【要約】【課題】本発明は、タグ部材とストラップ部材とを一体化させたストラップ付タグを提供することを課題とする。【解決手段】本発明のストラップ付タグ１００は、印字領域を有するタグ部材１１０と、上記タグ部材１１０に一部分離可能に連設し、輪状に展開するストラップ部材１２０とを備えて構成する。また、上記ストラップ部材１２０は、上記タグ部材１１０の外周に設けることができる。また、上記ストラップ部材１２０には、伸張材料を用いることができる。【選択図】図１
2011203531.tif 000002
【特許請求の範囲】
【請求項１】
印字領域を有するタグ部材と、
上記タグ部材に一部分離可能に連設し、輪状に展開するストラップ部材と、
を備えるストラップ付タグ。
【請求項２】
上記ストラップ部材を、上記タグ部材の外周に設けたことを特徴とする請求項１記載のストラップ付タグ。
【請求項３】
上記ストラップ部材には、伸張材料を用いたことを特徴とする請求項１または２記載のストラップ付タグ。
【発明の詳細な説明】
【技術分野】
【０００１】
本発明は、タグにストラップが付いたストラップ付タグに関し、詳しくは、使用時にストラップ機能を現出することができるストラップ付タグに関する。
【背景技術】
【０００２】
例えば、展示会等の会場に入場する際には、入場許可票（タグ部材に該当）が配布される。同時に、入場許可票を携帯表示させるための紐部材（ストラップ部材に該当）が配布される。
入場許可票を携帯表示させるためには、入場許可票の一部に挿通させた紐部材を首に掛けることにより行う。
タグとして入場許可票を例にしたが、一般に、ストラップ付タグは、別個の２部材（タグとストラップ）を組み合わせて構成されている。
【先行技術文献】
【特許文献】
【０００３】
【特許文献１】実開平６−７３７７８号公報
【発明の概要】
【発明が解決しようとする課題】
【０００４】
従来のストラップ付タグは、タグ部材の携帯表示作用を現出させるために、タグ部材
とストラップ部材とを組み合わせる作業を要する。
また、別部材を組み合わせて使用するが故に、タグ部材とストラップ部材とを保管す
る作業、タグとストラップの数合わせ等の作業が必要となる。ストラップ付タグの使用
前の管理処理が必要になる。
上記問題の例として、展示会等において、入場許可票及び紐部材を別個に配布す
る場合には、来場者にタグ部材とストラップ部材との組み合わせ作業を強いるため、
組み合わせに時間を要し入場混乱を招く虞がある。
【０００５】
本発明の課題は、使用時にタグとストラップとを組み合わせる必要のないストラップ付タグを提供することである。
詳しくは、タグ部材にストラップ部材を予め設けたストラップ付タグを提供することである。
【課題を解決するための手段】
【０００６】
本願発明のストラップ付タグは、印字領域を有するタグ部材と、上記タグ部材に一部分離可能に連設し、輪状に展開するストラップ部材とを備えて構成した。
タグ部材とストラップ部材とを連設することにより、使用時にタグ部材とストラップ部材とを組みあわせる必要がなくなる。
ストラップ部材を分離し輪状に展開することで、ストラップ機能が現れる。
【０００７】
また、上記ストラップ部材を、上記タグ部材外周に設けた構成にした。
ストラップ部材を容易に輪状に展開することができる。
【０００８】
また、上記ストラップ部材には、伸張材料を用いる構成とした。
ストラップする箇所の状態に応じて、ストラップ部材を伸張することができる。
伸張可能とした分、ストラップ部材の容積を小さくすることができ、ストラップ付タグの小型化が可能になる。伸張材料は、可逆性でも不可逆性でもよく、ストラップする箇所に応じて性質を変えることができる。例えばタグを首に下げる場合には不可逆性伸張のものの好ましく、腕等にフィットさせる場合には可逆性のものが好ましい。
【発明の効果】
【０００９】
本願発明のストラップ付タグは、タグ部材とストラップ部材とを組み合わせる作業を
要しない。そのため、ストラップ付タグを速やかに使用することができる。
【００１０】
また、タグ部材とストラップ部材とが一体となっているため、保管場所を別々にする
必要がない。また、タグとストラップの数合わせ等の作業が不要になり、ストラップ付
タグの使用前の管理処理が容易になる。
例えば、展示会等において入場許可証としてストラップ付きタグを用いた場合には、
許可表示を印字したストラップ付きタグを来場者に配布すれば、来場者はストラップ
部材を容易に展開して首等に掛けることでタグの携帯表示を容易に行うことができ
る。
【００１１】
また、使用済みのストラップ付タグは、タグ部材とストラップ部材とが完全に分離していないため、類似材質であれば分離することなく容易に廃棄を行うことができる。
【図面の簡単な説明】
【００１２】
【図１】実施の形態にかかるストラップ付タグの説明図である。
【図２】実施の形態にかかるストラップ付タグの使用状態を示す説明図である。
【図３】実施の形態にかかる他のストラップ付タグの説明図である。
【発明を実施するための形態】
【００１３】
以下、本発明の好適な実施の形態について説明する。
図１には、ストラップ付タグの一例構成図を示す。
ストラップ付タグ１００は、矩形状のタグ部材１１０の一辺にストラップ部材１２０を連設して構成する。
タグ部材１１０は、材質は特に限定されること無く、熱転写方式や感熱方式で印字できるものであればよい。
ストラップ部材１２０は、タグ部材１１０に一部分離可能に連設し、輪状に展開可能に構成する。
【００１４】
ストラップ部材１２０には、輪状に展開できるようにミシン目を形成している。使用時にミシン目を繋げることにより、ストラップ作用を容易に呈することができる。
また、ストラップ付タグ１００は、ストラップ部材１２０とタグ部材１１０とが分離しない連設領域１３０を有する。この領域を有することにより、ストラップした際にタグ部材１１０の保有が可能になる。
材料が異なる場合には、タグ部材１１０またはストラップ部材１２０の連設箇所を接着させればよい。連設箇所は、タグ部材１１０及びストラップ部材１２０の端部を重ね合わせて接着してもよく、一方の端部で他方の端部を挟んで接着してもよい。
【００１５】
ストラップ部材１２０に用いる材料は、限定されることは無く、不可逆性伸張材料や可逆性伸張材料を用いることができる。
可逆性伸張材料としては、ストレッチ素材を用いることができ、例えば、ポリエステル、ポリウレタン、トレヴィーラ、ポリアミドからなる既存の素材を用いることができる。
不可逆性伸張材料としては、各種ビニル素材を用いることができる。
また、ストラップ部材１２０の材質は、タグ部材１１０の材質と同じものを用いてもよい。
【００１６】
ストラップ部材１２０の素材は、ストラップの使用形態に応じて適宜選択することができる。
例えば、ストラップ部材１２０を首に掛ける場合には、不可逆性伸張材料を用いればよい。ストラップ部材１２０を必要量伸張することにより、ストラップ長を好ましい長さに固定して使用することができる。
また、ストラップ部材１２０を腕等に装着する場合には、可逆性伸張材料を用いれば、ストラップ部材１２０を腕等に密着させて装着することができる。
伸張しないストラップ部材１２０を用いる場合には、輪状に展開した場合の長さを考慮してストラップ部材１２０の容量を考慮すればよい。
【００１７】
図２には、本発明のストラップ付タグ１００の使用形態の説明図である。
図２（Ａ）には、不可逆性伸長材料を用いたストラップ付タグ１００の使用形態を示す。ストラップ部材１２０を輪状に展開し所望量伸長させれば、タグを首から下げることができる。
【００１８】
図２（Ｂ）には、可逆性伸長材料を用いたストラップ付タグ１００の使用形態を示す。ストラップ部材１２０を輪状に展開すれば、タグを腕に密着させて装着することができる。
【００１９】
図３には、本発明のストラップ付タグの他の一例構成図を示す。
ストラップ付タグ２００は、矩形状のタグ部材２１０の周辺にストラップ部材２２０を連設して構成する。タグ部材２１０に対するストラップ部材２２０の配置が異なること以外は、ストラップ付タグ１００と同様に形成する。
ここで、タグ部材２１０とストラップ部材２２０との連設は、タグ部材２１０の全周辺に行ってもよく、一部の辺に対して行ってもよい。
ストラップ部材２２０は、連設領域２３０を有し、連設領域以外はミシン目２２１を繋げることにより輪状に展開しストラップ作用を呈することができる。
このストラップ作用は、ストラップ付タグ１００と同様の効果を奏する。
【００２０】
また、実施例のストラップ付タグは、タグ部材に隣接する平面にストラップ部材を連設した形態について説明したが、この形態に限定されることはない。
例えば、タグ部材の表裏面の一方にストラップ部材を面で仮着し連設してもよい。
また、ミシン目箇所は、ストラップ部材が輪状に展開し易いように一部スリットに代えてもよい。ミシン目のパターンは、ストラップ部材が輪状に展開できるものであればよく限定されない。
更に、タグを単票の場合を想定したが、連票のタグを想定することもできる。
【符号の説明】
【００２１】
１００  ストラップ付タグ
１１０  タグ部材
１２０  ストラップ部材
１２１  ミシン目
１３０  連設領域
２００  ストラップ付タグ
２１０  タグ部材
２２０  ストラップ部材
２２１  ミシン目
２３０  連設領域
【図１】
2011203531.tif 000003
【図２】
2011203531.tif 000004
【図３】
2011203531.tif 000005